(57)【要約】【課題】移動端末のユーザに、この移動端末又はそのユーザの状態に応じて必要又は有効な情報をタイムリーに提供する移動端末への情報提供方法およびシステム、車載端末並びに記録媒体を提供する。【解決手段】移動端末である車載端末４０のユーザは、予めデジタルテレビ２０等のユーザ端末を使用して情報を収集し、センタサーバ３０へ送信し、そのデータベース３１に記憶保存する。ユーザが車載端末４０から要求すると、センタサーバ３０は、ユーザの状態に応じて関連するデータベース３１内の情報を検索して無線により車載端末４０へ送信して提供する。【選択図】図１
2006279679.tif 000002
【特許請求の範囲】
【請求項１】
移動端末のユーザに対して各種情報を提供する移動端末への情報提供方法において、
ユーザ端末からの情報を前記ユーザの指示に基づきセンタサーバのデータベースに記憶保持するステップと、前記移動端末の状態を検知するステップと、該移動端末の検知結果に基づいて前記データベースに記憶保持された情報のうち選択された情報を前記移動端末に対して送信するステップとを備えることを特徴とする移動端末への情報提供方法。
【請求項２】
前記データベースに記憶保持された情報の、前記移動端末への送信は、前記移動端末のユーザの要求に応じて行われることを特徴とする請求項１に記載の移動端末への情報提供方法。
【請求項３】
前記データベースに記憶保持された情報の、前記移動端末への送信は、予め決められた期間で定期的に行われることを特徴とする請求項１に記載の移動端末への情報提供方法。
【請求項４】
前記移動端末の状態に対応する情報が前記データベースに記憶保持されていない場合には、類似又は関連情報を検索して送信することを特徴とする請求項１、２又は３に記載の移動端末への情報提供方法。
【請求項５】
移動端末のユーザに対して無線通信により各種情報を提供する移動端末への情報提供システムにおいて、
各種情報を収集するユーザ端末と、該ユーザ端末により収集された情報をユーザ情報と共に記憶保持するデータベースを含むセンタサーバとを備え、該センタサーバのデータベースに記憶保持された情報の中から前記移動端末の状態に応じて選択された情報を前記移動端末に送信することを特徴とする移動端末への情報提供システム。
【請求項６】
前記ユーザ端末は、デジタルテレビであり、収集された情報を一時的に記憶するデータベースを含むことを特徴とする請求項５に記載の移動端末への情報提供システム。
【請求項７】
前記ユーザ端末および前記センタサーバ間は、ＡＤＳＬや光ファイバ等により接続されていることを特徴とする請求項５又は６に記載の移動端末への情報提供システム。
【請求項８】
前記移動端末は、車両に搭載された車載端末であり、前記移動端末の状態は、前記車両の位置、走行状態、天気（晴雨）を含むことを特徴とする請求項５、６又は７に記載の移動端末への情報提供システム。
【請求項９】
前記移動端末は、ユーザが携帯する携帯電話等の携帯端末であることを特徴とする請求項５乃至８の何れかに記載の移動端末への情報提供システム。
【請求項１０】
現在位置、交通情報等を収集すると共に無線通信によりユーザが希望する情報を無線通信によりセンタサーバに要求して提供を受ける車載端末において、
該車載端末は、その状態に関する情報と共に前記センタサーバに情報を要求し、前記車載端末のユーザがユーザ端末を使用して収集して予め前記センタサーバのデータベースに記憶保持している情報のうち、前記車載端末の状態に関連する情報を検索して無線通信により提供することを特徴とする車載端末。
【請求項１１】
前記ユーザ端末は、放送番組を記憶するデータベースを含むデジタルテレビであることを特徴とする請求項１０に記載の車載端末。
【請求項１２】
前記車載端末の状態は、カーナビ機能部から収集した現在位置、車両情報収集部から収集した天気（晴雨）や時刻（昼夜）情報により判断することを特徴とする請求項１０又は１１に記載の車載端末。
【請求項１３】
ユーザが希望する各種情報をユーザ端末で収集するステップと、前記収集された情報をセンタサーバへ送信してユーザ情報と共にデータベースに記憶保持するステップと、ユーザが移動端末により前記センタサーバのデータベースに記憶保持した情報を要求するステップと、前記センタサーバが、前記ユーザの要求に基づき且つ前記ユーザの状態に対応する関連情報を検索して無線により前記移動端末へ送信するステップとを含み、
移動端末のユーザにセンタサーバから各種情報を提供するためのコンピュータが読取可能なプログラムを記録した記録媒体。
【発明の詳細な説明】
【技術分野】
【０００１】
本発明は移動端末への情報提供方法およびシステム、車載端末並びに記録媒体に関し、特にデジタルテレビ等のユーザ端末を使用して収集した情報のうち必要な情報を移動端末に提供する情報提供方法およびシステム、車載端末並びに記録媒体に関する。
【背景技術】
【０００２】
車載端末又はカーナビゲーションシステム（以下、カーナビという）等の車載機器は、益々高性能化して、車両のユーザ（又はドライバ）が必要とする道路情報、交通情報、駐車場情報等に限らず、カーライフを快適にする各種情報がタイムリーに提供可能である。例えば、現在地又は目的地の天気予報、その近辺の観光名所、有名なレストラン、宿泊設備、イベント情報その他の情報を得ることが可能である。
【０００３】
斯かる技術分野における又は関連する従来技術は、幾つかの技術文献に開示されている。利用時の目的、場所、季節に応じた音楽が流れ又はユーザの嗜好に合わせたレストランや宿泊施設が表示されるデータをカーナビ装置に提供するデータ提供サービスシステムが開示されている（例えば、特許文献１参照）。また、テレビ等で紹介された旅行先に関する情報をメモリカード等にダウンロードしてドライバに提供可能なカーナビゲーション方法およびシステムが開示されている（例えば、特許文献２参照）。
【０００４】
【特許文献１】特開２００３−１８７１４６号公報（第７−８頁、第１図）
【特許文献２】特開２００２−２２１４２４号公報（第１３ページ、第１図）
【発明の開示】
【発明が解決しようとする課題】
【０００５】
上述の如き従来のカーナビで、周辺や目的地の観光地や店舗等のコンテンツを検索する際には、カーナビにと録されているコンテンツおよびＰＣ（パーソナルコンピュータ）等からダウンロードして編集し、ＣＤ（コンパクトディスク）等の記録媒体を使用してカーナビに読み込んだコンテンツ、予めセンタに登録され無線通信を介してカーナビにダウンロードしたコンテンツに限定されている。
【０００６】
本発明は、従来技術の上述の如き課題に鑑みなされたものであり、更に多くのサービス（又はコンテンツ）を提供可能にして、上述した課題を克服又は軽減する移動端末への情報提供方法およびシステム、車載端末並びにプログラムの記録媒体を提供することを目的とする。
【課題を解決するための手段】
【０００７】
前述の課題を解決するため、本発明による移動端末への情報提供方法およびシステム、車載端末並びに記録媒体は、次のような特徴的な構成を採用している。
【０００８】
（１）移動端末のユーザに対して各種情報を提供する移動端末への情報提供方法において、
ユーザ端末からの情報を前記ユーザの指示に基づきセンタサーバのデータベースに記憶保持するステップと、前記移動端末の状態を検知するステップと、該移動端末の検知結果に基づいて前記データベースに記憶保持された情報のうち選択された情報を前記移動端末に対して送信するステップとを備える移動端末への情報提供方法。
（２）前記データベースに記憶保持された情報の、前記移動端末への送信は、前記移動端末のユーザの要求に応じて行われる上記（１）の移動端末への情報提供方法。
（３）前記データベースに記憶保持された情報の、前記移動端末への送信は、予め決められた期間で定期的に行われる上記（１）の移動端末への情報提供方法。
（４）前記移動端末の状態に対応する情報が前記データベースに記憶保持されていない場合には、類似又は関連情報を検索して送信する上記（１）、（２）又は（３）の移動端末への情報提供方法。
（５）移動端末のユーザに対して無線通信により各種情報を提供する移動端末への情報提供システムにおいて、
各種情報を収集するユーザ端末と、該ユーザ端末により収集された情報をユーザ情報と共に記憶保持するデータベースを含むセンタサーバとを備え、該センタサーバのデータベースに記憶保持された情報の中から前記移動端末の状態に応じて選択された情報を前記移動端末に送信する移動端末への情報提供システム。
（６）前記ユーザ端末は、デジタルテレビであり、収集された情報を一時的に記憶するデータベースを含む上記（５）の移動端末への情報提供システム。
（７）前記ユーザ端末および前記センタサーバ間は、ＡＤＳＬや光ファイバ等により接続されている上記（５）又は（６）の移動端末への情報提供システム。
上記（５）又は（６）（８）前記移動端末は、車両に搭載された車載端末であり、前記移動端末の状態は、前記車両の位置、走行状態、天気（晴雨）を含む上記（５）、（６）又は（７）の移動端末への情報提供システム。
（９）前記移動端末は、ユーザが携帯する携帯電話等の携帯端末である上記（５）乃至（８）の何れかの移動端末への情報提供システム。
（１０）現在位置、交通情報等を収集すると共に無線通信によりユーザが希望する情報を無線通信によりセンタサーバに要求して提供を受ける車載端末において、
該車載端末は、その状態に関する情報と共に前記センタサーバに情報を要求し、前記車載端末のユーザがユーザ端末を使用して収集して予め前記センタサーバのデータベースに記憶保持している情報のうち、前記車載端末の状態に関連する情報を検索して無線通信により提供する車載端末。
（１１）前記ユーザ端末は、放送番組を記憶するデータベースを含むデジタルテレビである上記（１０）の車載端末。
（１２）前記車載端末の状態は、カーナビ機能部から収集した現在位置、車両情報収集部から収集した天気（晴雨）や時刻（昼夜）情報により判断する上記（１０）又は（１１）の車載端末。
（１３）ユーザが希望する各種情報をユーザ端末で収集するステップと、前記収集された情報をセンタサーバへ送信してユーザ情報と共にデータベースに記憶保持するステップと、ユーザが移動端末により前記センタサーバのデータベースに記憶保持した情報を要求するステップと、前記センタサーバが、前記ユーザの要求に基づき且つ前記ユーザの状態に対応する関連情報を検索して無線により前記移動端末へ送信するステップとを含み、
移動端末のユーザにセンタサーバから各種情報を提供するためのコンピュータが読取可能なプログラムを記録した記録媒体。
【発明の効果】
【０００９】
本発明の移動端末への情報提供方法およびシステム、車載端末および記録媒体によると、次の如き実用上の顕著な効果が得られる。デジタルテレビ情報を、ユーザ情報、プローブ情報およびカーナビ情報に基づき、番組情報およびＣＭ情報を車向けとして提供するために検索し、そのときの状況に応じた適切なコンテンツを車載端末（カーナビ）に提供することが可能である。
【００１０】
また、移動端末のユーザがセンタから無線により提供される情報は、予めユーザがデジタルテレビ等のユーザ端末を使用して収集した情報であるので、ユーザが最も必要とする価値ある情報である。更に、ユーザは、センタのデータベースを活用するので、大容量の記録媒体を個別に用意する必要がない。
【発明を実施するための最良の形態】
【００１１】
以下、本発明による情報提供方法、情報提供システムおよび車載端末の好適実施例の構成および動作を、添付図面を参照して詳細に説明する。
【００１２】
先ず、図１は、本発明による情報提供システムの好適実施例の構成を示す機能ブロック図である。この情報提供システム１０は、ユーザ端末（又は情報収集源）であるデジタルテレビ２０、このデジタルテレビ２０の情報を処理するセンタサーバ（以下、単にセンタという）３０およびセンタ３０からの情報サービスを利用する移動端末である車載端末４０により構成される。
【００１３】
図１に示す情報提供システム１０において、デジタルテレビ２０は、デジタルテレビ通信部２１、デジタルテレビ処理部２２およびデジタルテレビ情報データベース（ＤＢ）２３を含んでいる。センタ３０は、ユーザ情報／デジタルテレビ情報ＤＢ３１、センタ通信部３２およびセンタ処理システム３３を含んでいる。また、車載端末４０は、車載端末通信部４１、車載端末処理システム４２、車載端末ＤＢ４３、カーナビ機能部４４および車両情報収集部４５を含んでいる。
【００１４】
この情報提供システム１０において、センタ３０のセンタ通信部３２は、デジタルテレビ２０のデジタルテレビ通信部２１および車載端末４０の車載端末通信部４１に相互接続されている。そして、デジタルテレビ通信部は、デジタルテレビ処理部２２を介してデジタルテレビ情報ＤＢ２３に接続されている。センタ通信部３２は、センタ処理システム３３を介してユーザ情報／デジタルテレビ情報ＤＢ３１に接続されている。また、車載端末通信部４１は、車載端末処理システム４２を介して車載端末ＤＢ４３に接続されている。更に、この車載端末ＤＢ４３は、カーナビ機能部４４および車両情報収集部４５に接続されている。
【００１５】
次に、各構成要素の主要機能を説明する。センタ３０のユーザ情報／デジタルテレビ情報ＤＢ３１は、「ユーザ情報」およびユーザが好んで記録した「デジタルテレビ情報」およびデジタルテレビで提供されている好みの番組を記録する。ユーザ情報／デジタルテレビ情報ＤＢ３１のデジタルテレビ情報は、デジタルテレビ情報ＤＢ２３で記録された情報を、デジタルテレビ通信部２１を介して受信し、記録したものである。
【００１６】
ここで、「ユーザ情報」は、例えば年齢、性別、職業、趣味・嗜好等のユーザプロファイル、ユーザが好む番組を自ら記録した番組情報およびＣＭ情報に基づく嗜好の情報や、システム利用時にユーザが事前に登録した情報のことである。個々の番組毎に付加されている「デジタルテレビ情報」は、番組の内容に応じたスポット情報（観光地等の名称）、位置情報、ルート情報（ある番組で紹介したスポット等の巡回ルート）、店舗情報、天候情報、季節情報、休日情報、朝・昼・夜情報、ＣＭセール情報、提供期間情報、ＢＧＭ情報、楽曲情報等である。
【００１７】
センタ通信部３２は、デジタルテレビ通信部２１とＡＤＳＬや光ファイバ等の有線ネットワーク網を介して接続し、家庭等のデジタルテレビと情報を送受信する機能を有する。また、センタ通信部３２は、車載端末通信部４１と携帯電話網等の広域通信を介して接続し、車載端末４０およびセンタ３０間において、情報を送受信する機能を有する。
【００１８】
センタ処理システム３３は、ユーザ情報／デジタルテレビ情報ＤＢ３１に記録されたユーザ情報およびユーザが好む番組を自ら記録した番組情報およびＣＭ情報に基づく嗜好の情報およびプローブ情報に基づき、デジタルテレビ情報を車両向けコンテンツとして処理し、この処理されたコンテンツを車載端末４０へ提供する機能を有する。
【００１９】
また、センタ処理システム３３は、ユーザ情報／デジタルテレビ情報ＤＢ３１に記録されたデジタルテレビ情報から、それに付加された提供期間情報より蓄積および提供する時期を判断する。そして、提供期間が過ぎた情報を削除するものとする。デジタルテレビ通信部２１は、センタ通信部３２とＡＤＳＬ、光ファイバ等の有線ネットワーク網を介して接続されている。そして、デジタルテレビ通信部２１は、センタ３０と情報を送受信する機能を有する。
【００２０】
デジタルテレビ処理部２２は、ユーザが好んで記録の設定をしたデジタルテレビ情報をデジタルテレビ情報ＤＢ２３に記録する機能を有する。また、デジタルテレビ情報ＤＢ２３は、デジタルテレビ情報およびユーザが好む番組を自ら記録したデジタルテレビ情報に基づく嗜好の情報を記録する。個々の番組毎に付随しているデジタルテレビ情報は、スポット情報（場所の名前）、位置情報、ルート情報（ある番組で紹介したスポット等の巡回ルート）、店舗情報、天候情報、季節情報、休日情報、朝・昼・夜情報、ＣＭセール情報、提供期間情報（車両向け情報として提供する期間を設けられていた場合）、ＢＧＭ情報、楽曲情報等である。
【００２１】
車載端末４０の車載端末通信部４１は、デジタルテレビ２０のデジタルテレビ通信部２１およびセンタ３０のセンタ通信部３２と携帯電話網等の広域通信を介して接続されており、センタ３０と情報を送受信する機能を有する。車載端末処理システム４２は、車載端末ＤＢ４３に記録された、プローブ情報およびカーナビ情報を、定期的（分、時間単位等）に、予め設定した事象の発生時（例えば、エンジンＯＮ／ＯＦＦ等）に又はユーザにより車載端末４０で情報送信の操作が行われたとき等に、情報をセンタ３０へ送信する。また、車載端末処理システム４２は、プローブ情報およびカーナビ情報をセンタ処理システム３３およびデジタルテレビ処理部２２へ車載端末通信部４１を介して送信する機能と、センタ処理システム３３より車載端末通信部４１を介してコンテンツを受信する機能を有する。
【００２２】
車載端末ＤＢ４３には、プローブ情報およびカーナビ情報、予めカーナビに登録されている情報等が記録されている。車両情報収集部４５は、車両のセンサ等により、時間、車両位置、車速、ワイパ、燃料量、ブレーキ、外気温等のプローブ情報をリアルタイムに収集する機能を有する。カーナビ機能部４４は、経路探索、走行経路情報、走行履歴情報、交通渋滞情報、車両位置、周辺情報、目的地周辺情報、ＰＯＩ情報等の道路情報や店舗情報の表示機能等、現在普及しているカーナビと類似した機能を有する。そして、収集した情報は、カーナビ情報として車載端末ＤＢ４３に記録する。
【００２３】
次に、図２（Ａ）および図２（Ｂ）のフローチャートを参照して、図１に示す情報提供システム１０の実施例の動作を詳細に説明する。図２（Ａ）、（Ｂ）および図２（Ｃ）は、デジタルテレビ２０、車載端末４０およびセンタ３０間における一連の動作を示す。即ち、図２（Ｂ）のフローチャートは、図２（Ａ）のフローチャートに続く動作を示す。尚、ここでは家庭等のデジタルテレビ２０で放送された旅行番組のデジタルテレビ情報を、ユーザが記録の設定をし、車両においてユーザがコンテンツを検索する際にセンタ３０へ問い合わせ、車両向けのコンテンツとして車載端末４０へ提供する具体例に基づき説明する。
【００２４】
先ず、ユーザは、デジタルテレビ２０で放送されている旅行番組を好みの番組として記録する（ステップＡ１）。デジタルテレビ処理部２２は、この放送される旅行番組に付加されている以下の情報、地域情報、観光スポット名、店舗名、巡回ルート情報、店舗情報、天候情報等の番組の詳細情報を、デジタルテレビ情報ＤＢ２３に記録する（ステップＡ２）。また、デジタルテレビ処理部２２は、デジタルテレビ情報ＤＢ２３に記録されたデジタルテレビ情報を、デジタルテレビ通信部２１を介して、センタ３０へ送信する（ステップＡ３）。そこで、センタ処理システム３３は、ユーザ情報／デジタルテレビ情報ＤＢ３１にデジタルテレビ情報を記録する（ステップＡ４）。
【００２５】
ここで、デジタルテレビ２０のデジタルテレビ情報ＤＢ２３に記録された情報をセンタ３０へ送信するタイミングは、予め決められた時間に定期的にデジタルテレビ処理部２２が、デジタルテレビ通信部２１を介してセンタ通信部３２へ送信することとする。
【００２６】
ユーザが車両に乗車し走行しているとき、車載端末４０では、車載端末ＤＢ４３に記録されるプローブ情報およびカーナビ情報を、車両情報収集部４５とカーナビ機能部４４で収集し、車載端末ＤＢ４３に記録する（ステップＡ５）。
【００２７】
次に、ユーザが、車載端末４０を介しセンタ３０へ以前に記録したデジタルテレビ情報を問い合わせる（ステップＡ６）。このとき、車載端末処理システム４２は、問い合わせ情報と共に車載端末ＤＢ４３に記録したプローブ情報およびカーナビ情報を、車載端末通信部４１およびセンタ通信部３２を介して、センタ処理システム３３へ送信する（ステップＡ７）。この送信された情報を受信したセンタ処理システム３３は、ユーザ情報／デジタルテレビ情報ＤＢ３１に記録されているデジタルテレビ情報を検索する（ステップＡ８）。その際に、時間、車両位置、車速等のプローブ情報と、目的地周辺情報、走行経路情報による目的地到着時刻等のカーナビ情報を活用する。
【００２８】
次に、センタ処理システム３３は、カーナビ情報の目的地周辺情報より、その目的地と同じ地域に関するデジタルテレビ情報を検索する（ステップＡ９）。ユーザがこれから向かう目的地が、例えば「Ａ地域」である場合には、デジタルテレビ情報ＤＢ２３にある、例えば「Ａ地域の1日観光案内」という番組情報を抽出する（ステップＡ１０）。
【００２９】
次に、カーナビ情報の目的地到着時刻より、「Ａ地域の1日観光案内」の番組情報の中で紹介された巡回ルート情報が全て提供できるか判断する（ステップＡ１１）。目的地到着時刻と巡回時間より、巡回ルート情報の中から選別し、センタ通信部３２を介して、車載端末４０へ送信する（ステップＡ１２）。
【００３０】
ここで、例えばプローブ情報であるワイパ情報がＯＮであった場合には、センタ処理システム３３は、雨天時であることを判断する。そして、巡回ルート情報の中から雨天時向けのデジタルテレビ情報を検索する。また、ここでは、「Ａ地域」という車両位置の情報を活用し、デジタルテレビ情報を検索しているが、「雨天」というワイパ情報を活用し、デジタルテレビ情報の検索を行うこともできる。優先順位は、デジタルテレビ情報の検索に使用するプローブ情報およびカーナビ情報の予め設定された優先順位により、順次提供するものとする。
【００３１】
次に、本発明による情報提供システムの他の実施例の動作を、図３に示すフローチャートを参照して詳細に説明する。この実施例においては、上述した図１に示す第１実施例の構成と同一構成である。しかし、センタ３０より車載端末４０へ車向けコンテンツとして、センタ３０でユーザ情報、プローブ情報およびカーナビ情報に基づき自動的に選定して車載端末４０へ送信（プッシュ配信）する点で異なる。以下、この相違点を中心に説明する。
【００３２】
ここでは、家庭等のデジタルテレビ放送で提供された旅行番組のデジタルテレビ情報を、ユーザ情報、プローブ情報およびカーナビ情報に基づき、ユーザがこれから向かう地域（又は現在位置）と以前に好みとして記録した番組で紹介された地域が同じであった場合には、センタ３０から車載端末４０へ車向けコンテンツとして提供するプッシュ配信の方法を例にとる。
【００３３】
先ず、ユーザが、デジタルテレビ２０で放送された旅行番組を好みの番組として記録し、センタ３０へ情報を送信する処理と、センタ３０から車載端末４０へ車向けコンテンツを提供する処理（ステップＢ１〜ステップＢ４）は、第１実施例の処理（ステップＡ１〜ステップＡ５）と同様である。また、ユーザが車載端末４０において行う動作（ステップＢ５〜ステップＢ７）も、上述した第１実施例のステップＡ５〜ステップＡ７と同様である。
【００３４】
センタ処理システム３３は、車載端末ＤＢ４３に記録されたプローブ情報およびカーナビ情報を、車載端末通信部４１およびセンタ通信部３２を介し受信する（ステップＢ８）。センタ処理システム３３は、プローブ情報である車両位置情報から、ユーザがいる地域情報に基づきデジタルテレビ情報をセンタ３０側で自動的に検索する（ステップＢ９）。そして、検索結果を車両向けコンテンツとして車載端末処理システム４２へ送信する（ステップＢ１０）。その際に、時間、車両位置、車速等のプローブ情報と、目的地周辺情報、走行経路情報による目的地到着時刻等のカーナビ情報を活用する。
【００３５】
ここで、車載端末処理システム４２が、センタ処理システム３３へプローブ情報およびカーナビ情報を送信するタイミングは、プローブ情報およびカーナビ情報を、定期的（分、時間単位等）に又は事象発生時（例えば、エンジンＯＮ／ＯＦＦ情報等）とする。また、ここでは車向けコンテンツとして車載端末４０へ提供することを目的としているが、ユーザが降車した時には、歩行者向けコンテンツとしてユーザが所持している携帯電話等の携帯端末（図示せず）へ提供することも可能とする。
【００３６】
ユーザが車両にいるか又は車両外にいるかの判別は、移動速度（車速）およびユーザが降車した際のエンジンＯＮ／ＯＦＦ等の事象により判断することが可能である。例えば、センタ処理システム３３は、車両のエンジンＯＦＦの状態が数分続いた場合には、ユーザが降車したとみなして携帯端末向けのコンテンツを携帯端末へ送信する。一方、エンジンＯＮの情報を受信した場合には、乗車したとみなして車両向けのコンテンツを車載端末４０へ送信するものとする。
【００３７】
次に、本発明による情報提供システムの第３実施例を、図４Ａおよび図４Ｂのフローチャートを参照して詳細に説明する。尚、図４Ａおよび図４Ｂは、デジタルテレビ２０、センタ３０および車載端末４０間における一連の動作を示すフローチャートである。この第３実施例においても、その構成は、図１と同様である。
【００３８】
この第３実施例の情報提供システムは、第１実施例および第２実施例と比較すると、デジタルテレビ放送で提供された番組のデジタルテレビ情報に類似したコンテンツを検索し提供する点で異なる。ここでは、家庭等のデジタルテレビ放送で提供された番組を、ユーザが好みとして記録したデジタルテレビ情報を基に、ユーザが現在いる地域が、以前に好みとして記録した番組で紹介された地域と異なっている場合でも、ユーザがいる地域と類似度の高いデジタルテレビ番組情報（類似度の高い巡回ルート情報等）を検索し、車向けコンテンツとして提供する場合について説明する。
【００３９】
ユーザが、デジタルテレビ２０で放送された旅行番組を好みの番組として記録し、センタ３０へ情報を送信する処理と、センタ３０から車載端末４０へ車向けコンテンツを提供する処理である図４（Ａ）に示すステップＣ１〜ステプＣ８は、図２を参照して上述した第１実施例のステップＡ１〜ステップＡ８と同様である。
【００４０】
センタ処理システム３３は、カーナビ情報の目的地周辺情報より、その目的地と同じ地域に関するデジタルテレビ情報を検索する（ステップＣ９）。ユーザがこれから向かう目的地が「Ａ地域」である場合には、デジタルテレビ情報ＤＢ２３にある「Ａ地域」に関する番組情報を抽出する（ステップＣ１０）。このとき、「Ａ地域」に関する番組情報が記録されていなかった場合（ステップＣ１１）には、センタ処理システム３３は、車載端末処理システム４２へ、目的地である「Ａ地域」周辺のスポット情報を検索するため問い合わせる（ステップＣ１２）。
【００４１】
次に、車載端末処理システム４２は、車載端末ＤＢ４３に記録されているＰＯＩ情報（スポット情報等）を抽出し、センタ処理システム３３へ送信する（ステップＣ１３）。センタ処理システム３３は、受信した「Ａ地域」周辺の観光スポット情報、店舗情報等のＰＯＩ情報およびそれらの位置情報より、ユーザの現在位置周辺で、「Ａ地域」周辺の観光スポット情報、店舗情報等のＰＯＩ情報の存在が最も類似度の高い「Ｂ地域での1日観光案内」という番組情報を抽出する（ステップＣ１４）。抽出された番組情報を車載端末処理システム４２へ送信する（ステップＣ１５）。そして、車載端末４０は、送信された番組情報をディスプレイ（図示せず）に表示する（ステップＣ１６）。
【００４２】
次に、この第３実施例の動作の具体例を説明する。
目的地：横浜みなとみらい
「横浜みなとみらい」のデジタルテレビ番組情報がない。
抽出するデジタルテレビ番組情報：東京「お台場」と周辺情報を紹介した番組情報
理由：横浜みなとみらいの周辺の観光スポット情報、店舗情報等のＰＯＩ情報の存在が、東京「お台場」と周辺情報を紹介した番組情報と類似度が高かったため。
【００４３】
以上、本発明による情報提供方法、情報提供システムおよび車載端末の好適実施例の構成および動作を詳述した。しかし、斯かる実施例は、本発明の単なる例示に過ぎず、何ら本発明を限定するものではないことに留意されたい。本発明の要旨および精神を逸脱することなく、特定用途に応じて種々の変形変更が可能であること、当業者には容易に理解できよう。
【図面の簡単な説明】
【００４４】
【図１】本発明による情報提供システムの好適実施例の構成を示すブロック図である。
【図２（Ａ）】図１に示す情報提供システムによる情報提供方法の第１実施例を示すフローチャートである。
【図２（Ｂ）】図２（Ａ）に続く動作である。
【図２（Ｃ）】図２（Ｂ）に続く動作である。
【図３（Ａ）】図１に示す情報提供システムによる情報提供方法の第２実施例を示すフローチャートである。
【図３（Ｂ）】図３（Ａ）に続く動作である。
【図４（Ａ）】図１に示す情報提供システムによる情報提供方法の第３実施例を示すフローチャートである。
【図４（Ｂ）】図４（Ａ）に続く動作である。
【図４（Ｃ）】図４（Ｂ）に続く動作である。
【図４（Ｄ）】図４（Ｃ）に続く動作である。
【符号の説明】
【００４５】
１０  情報提供システム
２０  ユーザ端末（デジタルテレビ）
２１  デジタルテレビ通信部
２２  デジタルテレビ処理部
２３  デジタルテレビ情報ＤＢ
３０  センタサーバ（センタ）
３１  ユーザ情報／デジタルテレビ情報ＤＢ
３２  センタ通信部
３３  センタ処理システム
４０  移動端末（車載端末）
４１  車載端末通信部
４２  車載端末処理システム
４３  車載端末ＤＢ
４４  カーナビ機能部
４５  車両情報収集部
【図１】
2006279679.tif 000003
【図２（Ａ）】
2006279679.tif 000004
【図２（Ｂ）】
2006279679.tif 000005
【図２（Ｃ）】
2006279679.tif 000006
【図３（Ａ）】
2006279679.tif 000007
【図３（Ｂ）】
2006279679.tif 000008
【図４（Ａ）】
2006279679.tif 000009
【図４（Ｂ）】
2006279679.tif 000010
【図４（Ｃ）】
2006279679.tif 000011
【図４（Ｄ）】
2006279679.tif 000012